(57)【要約】【課題】  嵩上げ幅を大きくでき、劣化に強く、眺望の良い堤防装置を提供する。【解決手段】  本発明は、Ｕ字溝１０と、浮力により回転可能な堤防体３０を有し、前記堤防体３０の一端側が前記Ｕ字溝の一方の縁１２に回転支持部材３３により回転可能に取り付けられ、前記堤防体３０の他端側が前記Ｕ字溝の他方の縁２２に載置される堤防装置１とした。【選択図】  図１
2017214706.tif 000002
【特許請求の範囲】
【請求項１】
Ｕ字溝と、
浮力により回転可能な堤防体を有し、
前記堤防体の一端側が前記Ｕ字溝の一方の縁に回転可能に取り付けられ、前記堤防体の他端側が前記Ｕ字溝の他方の縁に載置されることを特徴とする堤防装置。
【請求項２】
前記Ｕ字溝の前記一方の縁に段部が形成され、
前記堤防体が浮力により回転したときに、前記堤防体が前記段部により支持されることを特徴とする請求項１に記載の堤防装置。
【請求項３】
前記段部による段差を覆うカバーを更に有することを特徴とする請求項２に記載の堤防装置。
【請求項４】
前記堤防体が、第１堤防体と第２堤防体を有し、
前記第２堤防体は、浮力によって、前記第１堤防体に対して上方に移動可能であることを特徴とする請求項１〜３のいずれか一項に記載の堤防装置。
【請求項５】
前記第２堤防体が、前記他端側の回転軸の周りで回転可能に前記第１堤防体に取り付けられていることを特徴とする請求項４に記載の堤防装置。
【請求項６】
前記第２堤防体が、前記第１堤防体に対してスライド可能に取り付けられていることを特徴とする請求項４に記載の堤防装置。
【発明の詳細な説明】
【技術分野】
【０００１】
本発明は、水の浮力により嵩上げする（高さを上げる）ことができる堤防装置に関する。
【背景技術】
【０００２】
特許文献１は、津波の際の水の浮力で自動的に嵩上げできる堤防を開示する。この方式では、平時は堤防が低いため、一応の眺望を得ることができる。
【先行技術文献】
【特許文献】
【０００３】
【特許文献１】２００８−２７４７３３号公報
【発明の概要】
【発明が解決しようとする課題】
【０００４】
特許文献１の堤防は、多くの欠点がある。例えば、多数の柱７が眺望の妨げになる。吹き曝しの構造であるため、蝶番４や浮力材５が劣化し易い。回転部分１が片持ち支持のため、機構部（蝶番４等）に過大な負荷が掛かりやすい。嵩上げを大きくするには、回転部分１を長くする必要があるが、それには材料工学等から限界がある。回転部分１が大きく張り出しているため見た目の威圧感・不安定感が強く、観光地や住宅地区等では受け入れ難い。
【０００５】
本発明は、上記課題に対処した堤防装置を提供することを目的とする。
【課題を解決するための手段】
【０００６】
本発明は、Ｕ字溝と、浮力により回転可能な堤防体を有し、前記堤防体の一端側が前記Ｕ字溝の一方の縁に回転可能に取り付けられ、前記堤防体の他端側が前記Ｕ字溝の他方の縁に載置されることを特徴とする堤防装置とした。
【発明の効果】
【０００７】
本発明によれば、堤防体がＵ字溝の両側の縁で両持ち支持される。よって、長い堤防体を使用でき、嵩上げ幅を大きくできる。堤防装置の上面を平坦にできるので、眺望が良く、周辺を公園や道路として利用するのに支障が無い。蝶番等を堤防体で覆うことができるので、環境からの劣化に強くなる。堤防体が浮力により回転したときに、段部の側壁により堤防体を支持する構造とすれば、柱７が不要であり、眺望が悪化しない。段部をカバーで覆えば段部の段差を無くすことができ、道路や公園として使用する際に好適である。カバーは、蝶番等の環境からの保護にも寄与する。
【図面の簡単な説明】
【０００８】
【図１】本発明の１実施形態に係る堤防装置１の側面図を示す。
【図２】堤防装置１の平面図を示す。
【図３】水面が上昇した場合の堤防装置１を示す。
【図４】堤防装置１の設置例を示す。
【図５】本発明の他の実施形態の堤防装置１Ａを示す。
【図６】水位が上昇したときの堤防装置１Ａを示す。
【図７】本発明の更に他の実施形態の堤防装置１Ｂを示す。
【図８】堤防装置１Ｂの堤防体３０を示す。
【発明を実施するための形態】
【０００９】
図１は、堤防装置１の側面図を示し、図２は、堤防装置１の平面図を示す。図示のように、堤防装置１は、Ｕ字溝１０と堤防体３０を有する。
【００１０】
Ｕ字溝１０は、陸側に側壁１１、蓋掛縁（上面）１２及び段部１３を有し、海側に側壁２１、蓋掛縁（上面）２２及び段部２３を有する。Ｕ字溝１０の底は、図示のように閉塞しても良いし、海側に抜ける通孔を設けても良い。通孔があれば、雨水を抜くことができ、水位が上がった際に通孔からＵ字溝１０に海水が入り、堤防体３０が円滑に上昇する。
【００１１】
支持体１４は、側壁１１側に取り付けられている。支持体１４は、コンクリートや鋼鉄等の硬質部材で構成できる。側壁１１と支持体１４は、別々の部材で構成しても良いが、単一の部材でもよい。
【００１２】
カバー１５は、段部１３の上端に蝶番１５ａで回転可能に取り付けられている。カバー１５は、鋼鉄等の板で構成できる。カバー１５により段部１３の段差が無くなる。
【００１３】
堤防体３０は、表面部材３１と浮力体３２を有する。表面部材３１は、コンクリートや鋼鉄等で構成し得る。表面部材３１は、中空箱状の部材としても良い。浮力体３２は、堤防体３０に浮力を与えるためのものであり、水よりも小さい比重を有する。浮力体３２は、発泡スチロール、木材、空気、ＥＰＳ等の低比重部材３２ａと、低比重部材３２ａを囲う金属等のケーシング３２ｂで構成するとよい。これにより、低比重部材３２ａを劣化から保護できる。必ずしも堤防体３０を別々の部材（表面部材３１と浮力体３２）で構成する必要はなく、一体の部材を使用してもよい。
【００１４】
堤防体３０の一端は、蝶番３３を介して蓋掛縁１１に取り付けられている。堤防体３０の他端は、蓋掛縁２２上に載置される。堤防体３０は、Ｕ字溝１０の長手方向（図２の上下方向）に複数配列される。堤防体３０同士の間隔をなるべく開けずに密に配列される。
【００１５】
図３は、津波等で水面が上昇した場合の堤防装置１を示す。図示のように、浮力により堤防体３０が回転して起立・上昇する。これにより、堤防を嵩上げできる。図４（ａ）、（ｂ）は、堤防装置１の設置例を示す。図の堤防装置１は、堤防２の天端２Ａに設置されている。図１から判るように、堤防装置１を設けても、天端２Ａに凹凸が殆ど生じない。図４（ｂ）は、堤防体３０が起立・上昇した状態である。
【００１６】
本実施形態の堤防装置１では、水の浮力により堤防体３０が回転して堤防２が嵩上される。このように、低コスト及び／又は簡単な工事で堤防２の嵩上げができる。堤防体３０の両端をＵ字溝１０の両側で支持するので、蝶番３３等に負荷が掛からない。それ故、長い堤防体３０が使用可能になり、嵩上げ幅を大きくできる。蝶番３３や浮力体３２が表面部材３１及び／又はカバー１５で覆われるので、劣化等に強い。天端２Ａの表面に殆ど段差を生じないので、天端２Ａを道路や公園等として利用し易い。堤防体３０が起立したとき（図３）、堤防体３０を段部１３で支持するので、特許文献１の柱７は不要であり、眺望が良い。特許文献１の回転部分１のような張り出しが無いので、見た目の威圧感・不安定感が無い。
【００１７】
図５は、他の実施形態の堤防装置１Ａを示す。堤防装置１Ａでは、表面部材３１の先端に係止部材３１ａが設けられている。係止部材３１ａは、蓋掛縁２２に係止するための部材である。係止部材３１ａは、鉄板等で構成できる。段部２３の高さは、係止部材３１ａの厚みだけでよい。浮力体３２は、蝶番３２ｃで表面部材３１の先端に回転可能に取り付けられている。堤防装置１Ａでは、表面部材３１が第１堤防体であり、浮力体３２が第２堤防体である。
【００１８】
図６は、水位が上昇したときの堤防装置１Ａを示す。図示のように、水位が増すと、表面部材３１が蝶番３３で回転して起立し（図６（ａ））、更に水位が増すと、浮力体３２が蝶番３２ｃで回転して起立する（図６（ｂ））。よって、嵩上げ幅を大きくすることができる。
【００１９】
図７（ａ）は、更に他の実施形態の堤防装置１Ｂを示す。堤防装置１Ｂは、浮力体３２が表面部材３１に対してスライド可能に取り付けられている点が堤防装置１Ａと異なる。図７（ｂ）、（ｃ）は、水位の上昇時に堤防体３０が上昇する様子を示す。図８（ａ）は堤防体３０の平面図（図７（ｂ）の上から見た図）であり、図８（ｂ）〜（ｄ）は図７（ｂ）のそれぞれＸ、Ｙ、Ｚ断面で堤防体３０を見た図である。図８に示すように、表面部材３１は、先端部にストッパ３１ｂを有し、浮力体３２は、基端部以外に凹部３２ｄを有する。ストッパ３１ｂと凹部３２ｄは相補的な形状であり、相互にスライドできる。堤防装置１Ｂでは、表面部材３１が第１堤防体であり、浮力体３２が第２堤防体である。
【００２０】
水位が増すと、図７（ｂ）のように堤防体３０が回転・起立し、更に水位が増すと、図７（ｃ）のように浮力体３２がスライドして堤防高さが更に上昇し、表面部材３１のストッパ３１ｂに浮力体３２の下端（ケーシング３２ｂの下端）が当たったところで停止する。
【産業上の利用可能性】
【００２１】
本発明は、嵩上げ可能な堤防として使用できる。図４のように、既存の堤防に設置してもよく、海や川沿いの道路や土手等に設置してもよい。
【符号の説明】
【００２２】
１，１Ａ，１Ｂ・・・堤防装置
２・・・堤防
１０・・・Ｕ字溝
１１・・・側壁
１２・・・蓋掛縁
１３・・・段部
１４・・・支持体
１５・・・カバー
２１・・・側壁
２２・・・蓋掛縁
２３・・・段部
３０・・・堤防体
３１・・・表面部材
３２・・・浮力体
３２ａ・・・低比重部材
３２ｂ・・・ケーシング
３２ｃ・・・蝶番
３３・・・蝶番
【図１】
2017214706.tif 000003
【図２】
2017214706.tif 000004
【図３】
2017214706.tif 000005
【図４】
2017214706.tif 000006
【図５】
2017214706.tif 000007
【図６】
2017214706.tif 000008
【図７】
2017214706.tif 000009
【図８】
2017214706.tif 000010